(57)【要約】【課題】パネルの開口縁部に変形を生じさせること無く計器を取り付けることができるのは勿論のこと、様々な肉厚のパネルに対する計器の取り付けに用いることができ、加えて、計器の取り付け作業性の向上及びコストの低減を実現することが可能である計器の取り付け具を提供する。【解決手段】配電盤パネルＰに設けた開口Ｐａに一方側から挿入される工業計器１をその一方側端部に有するフランジ２を開口Ｐａの縁部Ｐｂにおける一方側の面に当接させた状態で該パネルＰに固定する計器の取り付け具１０であって、工業計器１が挿入方向に沿う面に有する係止孔４に対して離脱可能に係止するフック１１と、このフック１１と一体に形成されて、開口Ｐａの縁部Ｐｂを他方側から押圧して該開口Ｐａの縁部Ｐｂをフランジ２とともに挟み込むパネル押さえ部１２を備えている。【選択図】図１
2009186362.tif 000002
【特許請求の範囲】
【請求項１】
パネルに設けた開口に一方側から挿入される計器をその一方側端部に有するフランジを前記開口の縁部における一方側の面に当接させた状態で該パネルに固定する計器の取り付け具であって、
前記計器が挿入方向に沿う面に有する計器側係止部に対して離脱可能に係止する係止部と、
この係止部と一体に形成されて、前記開口の縁部を他方側から押圧して該開口の縁部を前記フランジとともに挟み込むパネル押さえ部を備えている
ことを特徴とする計器の取り付け具。
【請求項２】
前記パネル押さえ部が前記開口の縁部に対して位置ずれするのを抑える規制手段を設けた請求項１に記載の計器の取り付け具。  
【請求項３】
前記計器が挿入方向に沿う面に有する計器側係合部に係合する係合部を前記規制手段とした請求項２に記載の計器の取り付け具。
【請求項４】
前記パネル押さえ部は、前記開口の縁部に当接する当接部分と、この当接部分に対して前記開口の縁部を前記フランジに押し付ける方向の力を付与する弾性部分とを具備している請求項１〜３のいずれかに記載の計器の取り付け具。
【請求項５】
前記パネル押さえ部の当接部分に設けられて前記開口の縁部に食い付く突起又は鋸歯状凹凸を前記規制手段とした請求項４に記載の計器の取り付け具。
【請求項６】
前記パネル押さえ部が前記弾性部分を複数具備している請求項４又は５に記載の計器の取り付け具。
【請求項７】
前記係止部を前記計器の計器側係止部から離脱させる係止状態解除部を備えている請求項１〜６のいずれか一つの項に記載の計器の取り付け具。
【発明の詳細な説明】
【技術分野】
【０００１】
本発明は、計器、特に工業計器の、例えば、配電盤パネルに対する取り付けに用いられる計器の取り付け具に関するものである。
【背景技術】
【０００２】
上記した工業計器としては、その正面側に表示部や操作部やこれらを囲んで配置したフランジを有していると共に、背面側に接続端子部を有する構造のものが一般的であり、このような工業計器は、パネル、例えば、配電盤パネルに設けた開口に対してパネル表側から挿入して、正面側に位置するフランジとパネル裏側において工業計器に装着する取り付け具とで配電盤パネルの開口縁部を挟み込むように成すことにより、配電盤パネルに取り付けられるようになっている。
【０００３】
上記工業計器の取り付けに用いられる取り付け具としては、例えば、先端側をへ字形状に屈折させた帯状部材を複数具備してこれらを互いに一体化させて成るものがあり、この取り付け具では、帯状部材の各先端側を配電盤パネルの裏側に当接させつつ各々の基端部を工業計器の背面にそれぞれねじ止めして、パネル裏側に引き込む方向の力を工業計器に常時付与することで、配電盤パネルに取り付けるようになっている（例えば、特許文献１参照）。
【特許文献１】実用新案登録第2537022号
【発明の開示】
【発明が解決しようとする課題】
【０００４】
ところが、上記した従来における計器の取り付け具では、帯状部材の各先端側を配電盤パネルの裏側に当接させつつ各々の基端部を工業計器の背面にそれぞれねじ止めするようにしているので、ねじ止めを必要とする分だけ作業性が良いとは言えないうえ、帯状部材及びねじの２部品から構成されていることから、コスト高の要因になってしまうという問題を有していた。
【０００５】
加えて、配電盤パネルの肉厚が大きい場合には上記ねじ止め作業が困難なものとなり、一方、配電盤パネルの肉厚が小さい場合には十分な力で工業計器をパネル裏側に引き込むことができず、すなわち、この取り付け具を適用し得るパネルの肉厚範囲が狭いという問題があり、これらの問題を解決することが従来の課題となっていた。
本発明は、上記した従来の課題に着目してなされたもので、パネルの開口縁部に変形を生じさせること無く計器を取り付けることができるのは勿論のこと、様々な肉厚のパネルに対する計器の取り付けに用いることができ、加えて、計器の取り付け作業性の向上及びコストの低減を実現することが可能である計器の取り付け具を提供することを目的としている。
【課題を解決するための手段】
【０００６】
上述した目的を達成するべく本発明の請求項１に係る発明は、パネルに設けた開口に一方側から挿入される計器をその一方側端部に有するフランジを前記開口の縁部における一方側の面に当接させた状態で該パネルに固定する計器の取り付け具であって、前記計器が挿入方向に沿う面に有する孔や突起などの計器側係止部に対して離脱可能に係止する係止部と、この係止部と一体に形成されて、前記開口の縁部を他方側から押圧して該開口の縁部を前記フランジとともに挟み込むパネル押さえ部を備えている構成としたことを特徴としており、このような構成の計器の取り付け具を前述した課題を解決するための手段としている。
【０００７】
この場合、計器が挿入方向に沿う面に有する計器側係止部は、この計器をパネルに取り付けるために形成した係止部に限定されることはなく、他の目的を持って計器にあらかじめ形成されている係止部であってもよい。
また、パネル押さえ部は、それ自体が弾性を有するばね状を成すものとすることができ、このパネル押さえ部には、計器に装着した状態でこの計器の側面（挿入方向に沿う面）から突出するＵ字形状を採用したり、同じく計器に装着した状態でこの計器の側面に重なるＯ字形状を採用したりすることができる。
【０００８】
このような構成を成す計器の取り付け具では、パネル押さえ部をパネルにおける開口の縁部に押し付けつつ係止部を計器の計器側係止部に対して係止させれば、パネルに対する計器の取り付けが完了し、一方、この係止部を計器の計器側係止部から離脱させれば、パネルからの計器の取り外しを行い得る、すなわち、ねじ止めを必要とすることなくほぼワンタッチで計器の取り付け取り外しを行い得ることから、作業性の向上が図られることとなり、加えて、係止部とパネル押さえ部とが一体を成しているので、部品点数が少ない分だけコストの低減が図られることとなる。
【０００９】
また、計器の取り付け具では、パネル押さえ部の押し付け力を適宜範囲に設定管理しておけば、計器の取り付けに際して、パネルの開口縁部が変形する懸念を払拭し得ることとなるうえ、様々な肉厚のパネルに対応し得ることとなる。
本発明の請求項２に係る計器の取り付け具は、前記パネル押さえ部が前記開口の縁部に対して位置ずれするのを抑える規制手段を設けた構成としており、具体的には、本発明の請求項３に係る計器の取り付け具において、前記計器が挿入方向に沿う面に有する孔や突起などの計器側係合部に係合する係合部を前記規制手段とした構成としている。
【００１０】
この場合も、計器が挿入方向に沿う面に有する計器側係合部は、この計器をパネルに取り付けるために形成した係合部に限定されることはなく、他の目的を持って計器にあらかじめ形成されている係合部であってもよい。
この規制手段を有する計器の取り付け具では、パネル押さえ部がパネルの開口の縁部から位置ずれするのを回避し得るので、取り付け作業性がより向上することとなり、加えて、計器をパネルに対して確実に固定し得ることとなる。
【００１１】
本発明の請求項４に係る計器の取り付け具において、前記パネル押さえ部は、前記開口の縁部に当接する当接部分と、この当接部分に対して前記開口の縁部を前記フランジに押し付ける方向の力を付与する弾性部分とを具備している構成としており、この際、前記規制手段を当接部分に配置したり、本発明の請求項５に係る計器の取り付け具のように、前記開口の縁部に食い付く突起又は鋸歯状凹凸を前記規制手段として、前記パネル押さえ部の当接部分に配置したりすれば、パネル押さえ部がパネルの開口の縁部から位置ずれするのを回避し得るので、取り付け作業性がより向上することとなり、加えて、計器をパネルに対して確実に固定し得ることとなる。
【００１２】
本発明の請求項６に係る計器の取り付け具は、前記パネル押さえ部が前記弾性部分を複数具備している構成としており、この構成とすることで、計器の取り付けに際して、より一層様々な肉厚のパネルに対応し得ることとなる。
本発明の請求項７に係る計器の取り付け具は、前記係止部を前記計器の計器側係止部から離脱させる係止状態解除部を備えている構成としており、このような構成とすることで、計器のパネルからの取り外し作業がより簡単なものとなる。
【発明の効果】
【００１３】
本発明の請求項１に係る計器の取り付け具では、上記した構成としているので、パネルの開口縁部に変形を生じさせること無く計器を取り付けることができるのは言うまでもなく、様々な肉厚のパネルに対する計器の取り付けに用いることが可能であり、加えて、計器の取り付け作業性の向上及びコストの低減を実現することができるという非常に優れた効果がもたらされる。
【００１４】
また、本発明の請求項２〜５に係る計器の取り付け具では、上記した構成としているので、取り付け作業性のより一層の向上及び計器のパネルに対する確実な固定を実現することができるという非常に優れた効果がもたらされる。
さらに、本発明の請求項６に係る計器の取り付け具では、上記した構成としたから、計器の取り付けに際して、より一層様々な肉厚のパネルに対応することが可能であり、本発明の請求項７に係る計器の取り付け具では、上記した構成としたから、計器のパネルからの取り外し作業をより簡単に行うことができるという非常に優れた効果がもたらされる。
【発明を実施するための最良の形態】
【００１５】
以下、本発明を図面に基づいて説明する。
［第１実施形態］
図１〜図３は、本発明の一実施形態に係る計器の取り付け具を示しており、この実施形態では、本発明に係る計器の取り付け具を工業計器の配電盤パネルに対する取り付けに用いた場合を例に挙げて説明する。
【００１６】
図１に示すように、上記した工業計器１は、その正面側に表示部や操作部やこれらを囲んで配置したフランジ２を有していると共に、背面側に接続端子部３を有しており、この工業計器１は、配電盤パネルＰに設けた開口Ｐａに対してパネル表側（図示左側）から挿入して、正面側に位置するフランジ２とパネル裏側において工業計器１に装着する取り付け具１０とで配電盤パネルＰの開口縁部Ｐｂを挟み込むように成すことにより、配電盤パネルＰに取り付けられるようになっている。
【００１７】
上記工業計器１の取り付けに用いるこの実施形態に係る取り付け具１０は、合成樹脂又は金属からなり、図２にも示すように、工業計器１が側面（挿入方向に沿う面）に有している計器側係止部としての係止孔４に対して離脱可能に係止するフック（係止部）１１と、このフック１１と一体に形成されて、配電盤パネルＰの開口縁部Ｐｂをパネル裏側（図示右側）から押圧してこの開口縁部Ｐｂをフランジ２とともに挟み込むパネル押さえ部１２を備えており、この取り付け具１０は、この実施形態において、工業計器１の互いに対向する二つの側面に配置してある。
【００１８】
このパネル押さえ部１２は、略Ｌ字形状を成してその短辺部位が開口縁部Ｐｂに当接する当接部分１２Ａと、この当接部分１２Ａに対して開口縁部Ｐｂをフランジ２に押し付ける方向の力を付与する略Ｕ字形状を成す弾性部分１２Ｂを具備している。
また、この取り付け具１０は、フック１１の近傍に配置されてこのフック１１を工業計器１の係止孔４から離脱させるレバー（係止状態解除部）１３を備えている。
【００１９】
このような構成を成す取り付け具１０では、図１（ａ）に仮想線で示すように、パネル押さえ部１２の当接部分１２Ａを配電盤パネルＰの開口縁部Ｐｂに押し付けた状態で、弾性部分１２Ｂを弾性変形させつつフック１１を工業計器１の係止孔４に対して係止させれば、配電盤パネルＰに対する工業計器１の取り付けが完了し、一方、レバー１３にマイナスドライバなどの工具をあてがって、弾性部分１２Ｂを弾性変形させつつ上記フック１１を工業計器１の係止孔４から離脱させれば、配電盤パネルＰからの工業計器１の取り外しを行い得ることから、すなわち、ねじ止めを必要とすることなくほぼワンタッチで工業計器１の取り付け取り外しを行い得ることから、作業性の向上が図られることとなり、加えて、フック１１とパネル押さえ部１２とレバー１３とが一体を成しているので、部品点数が少ない分だけコストの低減が図られることとなる。
【００２０】
また、上記取り付け具１０では、パネル押さえ部１２の弾性部分１２Ｂの押し付け力を適宜範囲に設定管理することで、工業計器１の取り付け取り外しに際して、配電盤パネルＰの開口縁部Ｐｂが変形する懸念を払拭し得ることとなるうえ、このように、弾性部分１２Ｂの押し付け力を適宜範囲に設定すれば、図３に示すように、配電盤パネルＰの肉厚が大きい場合であったとしても、弾性部分１２Ｂが大きく変形してこの配電盤パネルＰへの工業計器１の取り付けに対応し得ることとなる。
［第２実施形態］
図４は、本発明の他の実施形態に係る計器の取り付け具を示しており、この実施形態に係る計器の取り付け具１０が先の実施形態に係る計器の取り付け具１０と相違するところは、パネル押さえ部１２における略Ｌ字形状を成す当接部分１２Ａの長辺部位を延長したうえで、工業計器１が側面に有している係合孔（計器側係合部）５に係合する規制手段としての係合フック１５を当接部分１２Ａの配電盤パネルＰ近傍に設けた点にある。
【００２１】
この取り付け具１０では、パネル押さえ部１２の当接部分１２Ａが配電盤パネルＰの開口縁部Ｐｂから位置ずれするのを回避し得るので、取り付け作業性がより向上することとなり、加えて、工業計器１を配電盤パネルＰに対して確実に固定し得ることとなる。
［第３実施形態］
図５は、本発明のさらに他の実施形態に係る計器の取り付け具を示しており、この実施形態に係る計器の取り付け具１０が先の実施形態に係る計器の取り付け具１０と相違するところは、パネル押さえ部１２における当接部分１２Ａを平板状とし、その開口縁部Ｐｂと当接する先端を尖塔状に形成した点にあり、この取り付け具１０においても、パネル押さえ部１２の当接部分１２Ａが開口縁部Ｐｂから位置ずれするのを回避し得るので、取り付け作業性がより向上することとなり、加えて、工業計器１を配電盤パネルＰに対して確実に固定し得ることとなる。
【００２２】
［第４実施形態］
図６は、本発明のさらに他の実施形態に係る計器の取り付け具を示しており、この実施形態に係る計器の取り付け具１０が先の実施形態に係る計器の取り付け具１０と相違するところは、上記と同じくパネル押さえ部１２における当接部分１２Ａを平板状とし、その開口縁部Ｐｂと当接する先端を鋸歯状に形成した点にあり、この取り付け具１０においても、パネル押さえ部１２の当接部分１２Ａが開口縁部Ｐｂから位置ずれするのを回避し得るので、取り付け作業性がより向上することとなり、加えて、工業計器１を配電盤パネルＰに対して確実に固定し得ることとなる。
【００２３】
［第５実施形態］
図７は、本発明のさらに他の実施形態に係る計器の取り付け具を示しており、この実施形態に係る計器の取り付け具１０が先の実施形態に係る計器の取り付け具１０と相違するところは、パネル押さえ部１２における弾性部分１２Ｂが、工業計器１に装着した状態でこの工業計器１の側面に重なるＯ字形状を成している点にあり、この取り付け具１０では、工業計器１の側面部分が平滑になるという利点がある。
［第６実施形態］
図８は、本発明のさらに他の実施形態に係る計器の取り付け具を示しており、この実施形態に係る計器の取り付け具１０が先の実施形態に係る計器の取り付け具１０と相違するところは、パネル押さえ部１２における弾性部分１２Ｂを開口縁部Ｐｂに直接当接させた点にあり、この取り付け具１０においても、上記した第１実施形態に係る計器の取り付け具１０と同じ作用効果を得ることができる。
【００２４】
［第７実施形態］
図９は、本発明のさらに他の実施形態に係る計器の取り付け具を示しており、この実施形態に係る計器の取り付け具１０が先の実施形態に係る計器の取り付け具１０と相違するところは、パネル押さえ部１２自体を略Ｕ字形状のばねとした点にあり、この取り付け具１０においても、上記した第１実施形態に係る計器の取り付け具１０と同じ作用効果を得ることができる。
［第８実施形態］
図１０は、本発明のさらに他の実施形態に係る計器の取り付け具を示しており、この実施形態に係る計器の取り付け具１０が先の実施形態に係る計器の取り付け具１０と相違するところは、パネル押さえ部１２が弾性部分１２Ｂを二つ具備している点にあり、この取り付け具１０では、工業計器１の取り付けに際して、より一層様々な肉厚のパネルＰに対応し得ることとなる。
【００２５】
上記した実施形態では、いずれも本発明に係る計器の取り付け具を工業計器の配電盤パネルに対する取り付けに用いた場合を例に挙げて説明したが、これに限定されるものではない。
【図面の簡単な説明】
【００２６】
【図１】本発明の一実施形態に係る計器の取り付け具の使用形態を示す計器の側面説明図（ａ）及び背面説明図（ｂ）である。
【図２】図１に示した取り付け具の側面説明図（ａ），平面説明図（ｂ），正面説明図（ｃ），背面説明図（ｄ）及び断面説明図（ｅ）である。
【図３】図１に示した取り付け具による肉厚の大きなパネルに対する計器の取り付け状態を示す部分側面説明図である。
【図４】本発明の他の実施形態に係る計器の取り付け具の側面説明図（ａ）及び断面説明図（ｂ）である。
【図５】本発明のさらに他の実施形態に係る計器の取り付け具の側面説明図である。
【図６】本発明のさらに他の実施形態に係る計器の取り付け具の平面説明図である。
【図７】本発明のさらに他の実施形態に係る計器の取り付け具の平面説明図（ａ）及び側面説明図（ｂ）である。
【図８】本発明のさらに他の実施形態に係る計器の取り付け具の側面説明図である。
【図９】本発明のさらに他の実施形態に係る計器の取り付け具の側面説明図である。
【図１０】本発明のさらに他の実施形態に係る計器の取り付け具の側面説明図である。
【符号の説明】
【００２７】
１  工業計器
２  フランジ
３  接続端子部
４  係止孔（計器側係止部）
５  係合孔（計器側係合部）
１０  取り付け具
１１  フック（係止部）
１２  パネル押さえ部
１２Ａ  当接部分
１２Ｂ  弾性部分
１３  レバー（係止状態解除部）
１５  係合フック（係合部；規制手段）
Ｐ  配電盤パネル
Ｐａ  開口
Ｐｂ  開口縁部
【図１】
2009186362.tif 000003
【図２】
2009186362.tif 000004
【図３】
2009186362.tif 000005
【図４】
2009186362.tif 000006
【図５】
2009186362.tif 000007
【図６】
2009186362.tif 000008
【図７】
2009186362.tif 000009
【図８】
2009186362.tif 000010
【図９】
2009186362.tif 000011
【図１０】
2009186362.tif 000012